(57)【特許請求の範囲】
【請求項１】
通信時刻情報と通信種別と通信が成立したか否かを示す正否情報とを通信先に対応させた通信履歴情報を記憶する通信履歴記憶部と、前記通信履歴記憶部に記憶された前記通信履歴情報のうち特定の通信先に対応付けて記憶された前記通信履歴情報に基づいて、予め定めた時間間隔の時間帯毎に、各々の通信種別毎の接続成立回数と発呼回数との比、及び通信種別を問わない接続成立回数と発呼回数との比に対応する通信応答率を解析し、現時刻に対応した時間帯における通信種別を問わない前記通信応答率、または現時刻に対応した時間帯における所定の通信種別の前記通信応答率、または現時刻に対応した時間帯における前記通信応答率の順位に応じて選択された通信の種別、または前記通信応答率の順位に応じて選択された時間帯と対応する通信種別の少なくとも１つを推薦通信情報として出力する解析部とを備えたことを特徴とする通信端末装置。
【請求項２】
前記解析部は、前記通信履歴記憶部に記憶された前記通信履歴情報のうち特定の通信先に対応付けて記憶された前記通信履歴情報に基づいて、予め定めた時間間隔の時間帯毎に、各々の通信種別毎の通信接続時間と発呼回数との比、及び通信種別を問わない通信接続時間と発呼回数との比に対応する平均通信時間を解析し、現時刻に対応した時間帯における通信種別を問わない前記平均通信時間、または現時刻に対応した時間帯における所定の通信種別の前記平均通信時間、または現時刻に対応した時間帯における前記平均通信時間の順位に応じて選択された通信の種別、または前記平均通信時間の順位に応じて選択された時間帯と対応する通信種別の少なくとも１つを推薦通信情報として出力することを特徴とする請求項１に記載の通信端末装置。
【請求項３】
通信時刻情報と通信種別と通信量を通信先に対応させた通信履歴情報を記憶する通信履歴記憶部と、前記通信履歴記憶部に記憶された前記通信履歴情報のうち特定の通信先に対応付けて記憶された前記通信履歴情報に基づいて、予め定めた時間間隔の時間帯毎に、各々の通信種別毎の通信量と発呼回数との比、及び通信種別を問わない通信量と発呼回数との比に対応する平均通信量を解析し、現時刻に対応した時間帯における通信種別を問わない前記平均通信量、または現時刻に対応した時間帯における所定の通信種別の前記平均通信量、または現時刻に対応した時間帯における前記平均通信量の順位に応じて選択された通信の種別、または前記平均通信量の順位に応じて選択された時間帯と対応する通信種別の少なくとも１つを推薦通信情報として出力する解析部とを備えたことを特徴とする通信端末装置。
【請求項４】
通信すべき情報を入力するための入力部と、通信履歴を記憶した通信履歴記憶部と、前記通信履歴記憶部の通信履歴に基づいて、特定の通信先へ通信すべき時間帯及び／または通信種別及び／または該特定の通信先が現時刻に受信する期待値を解析する解析部と、前記解析された前記時間帯及び／または前記通信種別及び／または前記期待値を表示するための表示部と、前記通信すべき情報を送信するための通信部とを備えたことを特徴とする通信端末装置。
【請求項５】
通信先に対応した通信履歴情報を取得するステップと、前記通信履歴に基づいて、通信先へ通信すべき時間帯及び／または通信種別及び／または通信先が現時刻に受信する期待値を解析するステップと、前記解析された前記時間帯及び／または前記通信種別及び／または前記期待値を表示するために出力するステップと、を備えたことを特徴とする通信情報提示方法。
【発明の詳細な説明】
【０００１】
【発明の属する技術分野】
本発明は、通信端末を利用して通信を行なう際に、通信先にとって都合の良い通信手段や通信時刻などを利用者に提示する技術に関する。
【０００２】
【従来の技術】
近年、通信網の高速化や通信端末装置の高性能化、小型化に伴い、種々の通信種別（電話、インターネット電話、電子メール、チャットなど）の利用や、場所、時刻を選ばずに通信を行なうことが可能になって来ている。この様に、容易に多種多様の通信を随時に行なえるので、何時、誰と、どの様な通信方法で通信をしたかを記録しておくために、これらを通信履歴記憶し、管理する機能を備えた通信端末装置が開示されている。
【０００３】
例えば、特開平１１−９８２８４には、通信日時、通信種別を記憶した通信履歴データにもとづいて、指定したカレンダーにこれらの履歴情報を表示する通信端末装置が開示されている。
【０００４】
【発明が解決しようとする課題】
上記した従来技術では、通信履歴を表示するのみであり、従って、通信相手にとって、何時、どの様な通信方法で通信するのが通信相手先が受信するのに好ましいかを判断するための支援情報は提供していなかった。したがって、たとえば携帯電話を使用して、通話をする場合に、何度も発呼しても相手先が応答してくれなかったり、電子メールを送信したが、回答を貰うまでに時間が掛かり過ぎたり、貰えなかったりして、円滑な情報の授受に困難を来す可能性があった。
【０００５】
本発明は、この様な実情を踏まえて、通信先または通信相手が送信されてきた通信情報を受け取り易い通信方法や通信時間帯を通信履歴情報に基づいて解析にて、この情報（以下、推薦通信情報と称する）を発信者側であるユーザが通信を実行する前に提示することにより、円滑に情報交換を行なうための通信端末装置や通信情報提示方法を提供することを課題とする。
【０００６】
【課題を解決するための手段】
上記課題を解決するために、本発明の通信端末装置および通信情報提示方法に於いては、過去に行なった通信履歴中から、通信しようとしている相手先（通信先）の履歴情報を基に、この通信先にとって受信し易い時間帯や通信種別、または現時刻に通信するならば、通信先との通信が成立する期待値（通信履歴から算出した過去の応答率、相手先が応答するまでの時間、相手先との通信時間、相手先との通信量など）を、事前に発信者側のユーザに提示することによって、上記課題を解決する。
【０００７】
上記課題を解決するために、請求項１の発明においては、通信時刻情報と通信種別と通信が成立したか否かを示す正否情報とを通信先に対応させた通信履歴情報を記憶する通信履歴記憶部と、この通信履歴記憶部に記憶された前記通信履歴情報のうち特定の通信先に対応付けて記憶された通信履歴情報に基づいて、予め定めた時間間隔の時間帯毎に、各々の通信種別毎の接続成立回数と発呼回数との比、及び通信種別を問わない接続成立回数と発呼回数との比に対応する通信応答率を解析し、現時刻に対応した時間帯における通信種別を問わない前記通信応答率、または現時刻に対応した時間帯における所定の通信種別の前記通信応答率、または現時刻に対応した時間帯における前記通信応答率の順位に応じて選択された通信の種別、または前記通信応答率の順位に応じて選択された時間帯と対応する通信種別の少なくとも１つを推薦通信情報として出力する解析部とを備えたことを特徴とする通信端末装置を要旨とした。
【０００８】
この様に通信端末装置を構成したので、現時刻に通信した際に通信先との通信が成立する期待値や、どの通信種別で通信すれば良いかが事前に分かり、また、より良く通信するには、何時頃、どの通信種別で通信するのが良いかが事前に分かる。
【０００９】
また、上記課題を解決するために、請求項２の発明においては、請求項１の解析部において、予め定めた時間間隔の時間帯毎に、各々の通信種別毎の通信接続時間と発呼回数との比、及び通信種別を問わない通信接続時間と発呼回数との比に対応する平均通信時間を解析し、現時刻に対応した時間帯における通信種別を問わない前記平均通信時間、または現時刻に対応した時間帯における所定の通信種別の前記平均通信時間、または現時刻に対応した時間帯における前記平均通信時間の順位に応じて選択された通信の種別、または前記平均通信時間の順位に応じて選択された時間帯と対応する通信種別の少なくとも１つを推薦通信情報として出力することを特徴とする通信端末装置を要旨とした。
【００１０】
この様に、通信端末装置を通信時間を基に推薦通信情報を出力する構成としたので、現時刻に通信した際に通信先との通信を継続できる時間の予測や、どの通信種別で通信すれば良いかが事前に分かり、また、より良く通信するには、何時頃、どの通信種別で通信するのが良いかが事前に分かる。
【００１１】
さらに、上記課題を解決するために、請求項３の発明においては、通信時刻情報と通信種別と通信量を通信先に対応させた通信履歴情報を記憶する通信履歴記憶部と、前記通信履歴記憶部に記憶された前記通信履歴情報のうち特定の通信先に対応付けて記憶された前記通信履歴情報に基づいて、予め定めた時間間隔の時間帯毎に、各々の通信種別毎の通信量と発呼回数との比、及び通信種別を問わない通信量と発呼回数との比に対応する平均通信量を解析し、現時刻に対応した時間帯における通信種別を問わない前記平均通信量、または現時刻に対応した時間帯における所定の通信種別の前記平均通信量、または現時刻に対応した時間帯における前記平均通信量の順位に応じて選択された通信の種別、または前記平均通信量の順位に応じて選択された時間帯と対応する通信種別の少なくとも１つを推薦通信情報として出力する解析部とを備えたことを特徴とする通信端末装置を要旨とした。
【００１２】
この様に、通信端末装置を通信量を基に推薦通信情報を出力する構成としたので、現時刻に通信した際に通信先との通信量の予測や、どの通信種別で通信すれば良いかが事前に分かり、また、より良く通信するには、何時頃、どの通信種別で通信するのが良いかが事前に分かる。
【００１３】
さらに、上記課題を解決するために、請求項４の発明は、通信すべき情報を入力するための入力部と、通信履歴を記憶した通信履歴記憶部と、この通信履歴に基づいて、特定の通信先へ通信すべき時間帯及び／または通信種別及び／または該特定の通信先が現時刻に受信する期待値を解析する解析部と、この解析された時間帯及び／または通信種別及び／または期待値を表示するための表示部と、通信すべき情報を送信するための通信部とを備えたことを特徴とする通信端末装置を要旨とした。
【００１４】
この様に、通信端末装置を構成したので、通信が成立し易い時間帯、通信種別や現時点で通信する場合の期待値などを事前に提示することが出来る。
【００１５】
さらに、上記課題を解決するために、請求項５の発明は、通信先に対応した通信履歴情報を取得するステップと、前記通信履歴に基づいて、通信先へ通信すべき時間帯及び／または通信種別及び／または通信先が現時刻に受信する期待値を解析するステップと、前記解析された前記時間帯及び／または前記通信種別及び／または前記期待値を表示するために出力するステップと、を備えたことを特徴とする通信情報提示方法を主旨とした。
【００１６】
この様に、各ステップを構成したので、現時点で通信する場合の通信が成立する期待値や何時、どの通信種別で通信すると好ましいかの推薦通信情報を事前に提供できる。
【００１７】
上記した様に、通信履歴に基づいて現時点で通信する場合の通信の成立の程度や、何時、どの通信種別で通信するのが好ましいかを解析するので、通信実行前に通信を実行する時刻、通信種別を提示できる。
【００１８】
【発明の実施の形態】
図１から図１９を参照して、本発明を携帯電話に適用した第１の実施例を説明する。図１は、この携帯電話１０の概略外形を示す。後述する通信履歴情報を記憶した記憶部やその解析部は、本体部ケース１１内に収納されている。この本体部ケース１１の上面には、電話番号、メールアドレス、文字入力、各種機能選択のための押しボタンや表示ランプなどを備えた操作部１２や、さらに、本発明の後述する推薦通信情報や電子メール通信の際の文字情報や、通信先の電話番号やアドレスなどの通信先情報などを表示する表示パネル１３が配置されている。また、無線公衆網との接続のために、電波を送受信するアンテナ１４が本体部ケース１１の上端部に設けられている。
【００１９】
次に、図２を参照して、第１の実施例の本発明に関わる主要機能の概要、すなわち、通信相手先（以下の説明では“Ｂさん”とする）への通信履歴、または通信相手先との通信履歴に基づいて、推薦通信情報を生成する手順を説明する。
携帯電話１０は、操作部１２などを含む入力部２４、無線公衆網と電波の送受信処理を行う通信部２５、通信履歴情報や各種のプログラム、処理結果などを記憶する記憶部２１、通信履歴情報から推薦通信情報を解析する解析部２２、この解析された推薦通信情報を表示パネル１３に表示するための表示部２３、さらにこれら各部を制御する制御部２０を含んで構成されている。
【００２０】
次に通信履歴情報から推薦通信情報を生成する手順を説明する。記憶部２１に記憶されている通信履歴２６は、Ｂさんに、どの様な通信種別で何年何月何日の何時に通信をし、通信先の応答が有ったか否かをレコードしたものである。
【００２１】
次に、解析部２２によって、この通信履歴２６から推薦通信情報を解析する手順を説明するが、どの様な推薦通信情報を得るかによって、解析方法が異なる。図２では通信種別にこだわらず、現時刻にＢさんに通信する場合の応答率や、最も応答率の高い時間帯を推薦通信情報とする場合を例としている。
【００２２】
まず、時間帯を予め１時間毎と設定し、通信履歴２６の送信時刻から各時間帯毎に、通信した回数と、この通信した際に相手先の応答があった応答回数との比を求める。例えば、１７：００〜１８：００の時間帯では、電話およびチャットでＢさんと１回づつ通信を行なっており、その内チャットでの通信の際にＢさんからの応答を得ている（図中のラインＡを参照）。従って、解析結果例２７に示す様に、時間帯１７：００〜１８：００では、応答率５０％と解析される。
【００２３】
同様にして、解析結果例２７に示す様に、通信履歴のある時間帯１時間毎に応答率が解析される。そして、現時刻を１７：３０とした場合には、推薦通信情報である“現時刻にＢさんに通信する場合の応答率は５０％”であることを、推薦通信情報の表示例２８−１に示す様に、ディスプレイ１３に表示する。
【００２４】
また、推薦通信情報である“最も応答率の高い時間帯”は、解析結果例２７から分かる様に、１９：００〜２０：００と２０：００〜２１：００の２つの時間帯であり、ディスプレイ１３には表示例２８−２に示すように“１９：００〜２１：００”と表示する。
【００２５】
以上に、第１の実施例の特徴を概略説明したので、次に詳細説明を行なう。
図３は、この携帯電話１０の要部の概略構成を示す。マイクロプロセッサなどで構成され、通信履歴を解析などや各種の制御を行なうＣＰＵ３０には、データの送受を行なうためのバス３１が接続されている。このバス３１には、本発明の通信履歴の解析や各機能部の制御を行なうプログラム、データ等が格納されたＲＯＭ２１−１、解析結果やデータなどの一時記憶のためにＲＡＭ２１−２がデータ送受可能に接続されている。また、入力部２４の操作部２４−２は、入力制御部２４−１を介してバス３１に接続されている。表示部２３のパネル部２３−２は表示制御部２３−１を介してバス３１に接続されており、通信部２５の通信インターフェース部２５−２は通信制御部２５−１を介してバス３１に接続されている。さらに、通信日時を計測し、時刻情報を得るためのカレンダ部３２がバス３１に接続されている。本実施例の制御部２０には、ＣＰＵ３０、バス３１、カレンダ部３２が含まれている。
【００２６】
次に、本実施例の推薦通信情報を生成する通信手段提示部５０の詳細を図４を参照して説明する。この通信手段提示部５０の各機能は、図３に示した各部で重複して実行されるが、この各部で実行される機能を、この通信手段提示部５０の機能として機能ブロック毎に示したものである。
【００２７】
本実施例の携帯電話では、通信種別として電話、チャット、インスタント・メッセージの３種類の通信を行なう場合を例とし、各々、電話機能部５２、チャット機能部５３、及びインスタント・メッセージ機能部５４とによって通信可能に構成されている。電話機能部５２の主要機能部は、電話での通信を行なうための通信部５２−１、電話での通信履歴を記憶する通信履歴記憶部５２−２、この通信履歴を後述する通信履歴処理部５５に通知する通信履歴通知部５２−３である。同様に、チャット機能部５３およびインスタント・メッセージ機能部５４の主要機能部も、チャット、インスタント・メッセージ通信を行なう通信部５３−１、５４−１、通信履歴を記憶する通信履歴記憶部５３−２、５４−２、この通信履歴を通信履歴処理部５５に通知する通信履歴通知部５３−３、５４−３である。
【００２８】
通信履歴処理部５５は、上記した各通信種別の機能部の通信履歴記憶部５２−２、５３−２、５４−２から通信履歴を取得する通信履歴取得部５５−１、受け取った通信履歴を記憶する通信履歴記憶部５５−３、そして、この記憶した通信履歴を解析する通信履歴解析部５５−２を主要機能部として構成されている。この通信履歴解析部５５−２では、通信履歴を解析して、例えば、“通信先であるＢさんには、何時頃に電話をすればつながり易い”、“電話ならＸ時頃、メールならＹ時頃に通信すれば応答を得易い”などを示唆する推薦通信情報を最終的に解析結果として得る。
【００２９】
上記した通信履歴処理部５５で得られた推薦通信情報は、電話帳機能部５６の推薦通信手段提示部５６−４に送られ、表示機能部５６−３を介して、パネル部２３−２（図３参照）に表示される。
【００３０】
この電話帳機能部５６には、さらに、通信相手先の電話番号やメールアドレスなどの通信先情報を記憶するための電話帳記憶部５６−２、新規に通信した相手先を登録したり、相手先の電話番号の変更などに伴って通信先情報を更新するための登録更新部５６−１を主要機能部として構成されている。
【００３１】
つぎに、図４、図５、図６、図７を参照して、推薦通信情報の生成を詳細を説明する。この説明を分かり易くするために、電話とチャットの２つの通信履歴がある場合について、説明するがインスタント・メッセージ通信やさらに他の通信種別の通信種別についての通信履歴がある場合にも、同様に推薦通信情報を生成できる。
【００３２】
ユーザが、通信相手Ｂさんに通信する場合を例にする。まず、ユーザは、携帯電話１０を通信起動モード等にする（図７のステップ１００）。つぎに、Ｂさんの識別情報（例えば、氏名や電話番号など）を入力部２４のキーから入力するか、または、電話帳記憶部５６−２に記憶されている通信先情報から選択する（図７のステップ１０５）。次に、推薦通信情報を使用する場合には、入力部２４の所定のキーを押下する（図７のステップ１０６でＹＥＳの場合）。この所定のキーの押下によって、通信履歴取得部５５−１から通信履歴記憶部５２−２、５３−２、５４−２に記憶されている通信履歴の送信要求が出され、送信されてきた各通信履歴は、図５の（Ａ）に例示されている様に通信履歴の日時の新しい順に配置され通信履歴記憶部５５−３に記憶される。この通信履歴は、相手先であるＢさんに電話やチャットを送信した年月日を示す送信日、送信時刻、通信種別そして相手先の応答の有無等が記憶されている。
【００３３】
通信履歴記憶部５５−３に一旦記憶された履歴情報から、予め定められている時間帯毎（本例では１時間毎）にその時間帯に送信した合計回数と応答が有った回数との比（応答率と称する）が通信履歴解析部５５−２で計算される（図７のステップ１１５）。この例では、８時から９時の間には電話、チャットを合計２回実行したが、応答回数は０回であったので、この時間帯の応答率は０％と解析されている。同様に、各時間帯毎に応答率が解析され、解析結果（図５の（Ｂ）参照）は、推薦通信手段提示部５６−４に記憶される。
【００３４】
つぎに、デフォルトまたはメニュー形式で各種の推薦通信情報が表示部２３のパネル部２３−２（図３参照）に表示される。本例ではデフォルト形式で推薦通信情報を表示する様に構成されているので、Ｂさんの最も応答率の高い時間帯をまず推薦通信情として表示する。図５の（Ｂ）中の１９：００〜２０：００および２０：００〜２１：００の時間帯の応答率が、各時間帯の応答率の中で最も高く１００％であるので、表示機能部５６−３を介して、パネル部２３−２に図５の（Ｃ）に例示する推薦通信情報が送られ、表示される（図７のステップ１２５）。この推薦通信情報は、相手先“Ｂさん”には“１９：００〜２１：００”が最も応答率が高いことを示しており、電話帳記憶部５６−２に記憶されているＢさんの電話番号と、チャットに使用するためのメールアドレスも同時に表示されている。
【００３５】
もし、ユーザがこの推薦通信情報ではなく、現時刻の応答率を希望する場合には、入力部２４の所定の押しボタンを押下し、次の推薦通信情報の表示要求を行なう（図７のステップ１３０でＹＥＳの場合）。現時刻を１７時３０分とすれば、図５の（Ｂ）の時間帯１７：００〜１８：００の応答率５０％が、推薦通信手段提示部５６−４から読み出され、図６の（Ａ）に例示した推薦通信情報がパネル部２３−２に表示される（図７のステップ１６５）。
【００３６】
この推薦通信情報を参照してユーザが通信をする場合（図７のステップ１３０でＮＯの場合）、本実施例で使用可能な通信種別である電話、チャット、インスタント・メッセージの中から、いずれかを選択し（図７のステップ１３５では、電話とチャットのみを図示）、電話を選択した場合（図７のステップ１３５で“電話”の場合）、Ｂさん宛の電話番号を入力し、電話を掛ける（図７のステップ１４０）。そしてステップ１４５で相手先からの応答を待ち、相手先が出ると（図７のステップ１４５“有”の場合）、会話をし（図７のステップ１５０）、電話が終わると（図７のステップ１６０）、次に、通信履歴更新をステップ１７０で行ない、終了処理を行なう（図７のステップ１９０）。この場合には、電話機能部５２の通信履歴記憶部５２−２に通信した年月日、通信種別（この通信種別はレコードされなくとも良い）、送信時刻、応答有などが記録される。
【００３７】
一方、ユーザがチャットを選ぶと（図７のステップ１３５で“チャット”の場合）、入力部２４（図３参照）から送信文を入力し（図７のステップ１７０）、次に、入力部２４の送信ボタンを押し、通信接続処理を行なう（図７のステップ１７５）。そして、この送信したメールに回答があるか否かを所定時間毎にステップ１８０で監視する。回答が来た場合には（図７のステップ１８０でＹＥＳの場合）、通信履歴の更新を行なう（図７のステップ１７０）。一方、所定時間内に回答が来なかった場合には（図７のステップ１８０でＮＯの場合）、予め決めた時間が経過したか否かをステップ１７７で判定し経過していない場合には、再度、ステップ１８０に推移する。一方、予め決めた時間が経過した場合には（図７のステップ１７７でＹＥＳの場合）、応答無しとの通信履歴の更新を行ない処理を終了する（図７のステップ１７０、１９０）。
【００３８】
また、ユーザは、表示された推薦通信情報を見て、通信を行なうのを中止した場合（図７のステップ１３５で“中止”の場合）には、ステップ１９０の処理終了を行なう。
【００３９】
尚、上記では推薦通信情報の表示例を２例示したが、現時刻１７：３０の応答率、最も応答率の高い時間帯の両方を示す様に推薦通信情報を構成しても良く、この推薦通信情報の１例を図６の（Ｂ）に示す。
【００４０】
また、説明を簡潔にするために、通信履歴処理部５５で応答率を解析する場合を説明したが、後述する各種の推薦通信情報を解析することが可能である。
また、上記通信履歴に、送信日を含めたが、送信時刻のみを時刻情報として構成しても良い。
【００４１】
尚、図７に示した処理では、推薦通信情報を使用するか否かを、選択する様に構成したが、操作を簡便にするために、通信相手先を入力または選択することによって、推薦通信情報を表示する様に構成してもよい。この様な処理を実現する処理フローの他の一例を図８に示し、図７と異なるステップを主に説明する。
【００４２】
図８において、通信先を入力または選択すると（図８のステップ１０５）、電話帳機能部５６の推薦通信手段提示部５６−４に記憶されている推薦通信情報を表示部２３に表示し（図８のステップ１８５、表示内容は各通信種別の現在の応答率や最も高い応答率を示す時間帯など）、ユーザはこの図８のステップ１３５で通信種別の選択または通信を取り止める。電話またはメールで通信を行なう場合に、図８のステップ１７０までは図７の場合と同様である。
【００４３】
この電話またはチャットを実行し、図８のステップ１７０で通信履歴の更新を行なった後、実行した電話またはチャットの通信履歴記憶部５２−２または５３−２から通信先の通信履歴情報を通信履歴取得部５５−１が取得し（図８のステップ１８１）、予め決められた時間間隔毎に応答率等を通信履歴解析部５５−２で解析し（図８のステップ１８２）、この解析された応答率等の推薦通信情報を電話帳機能部５６に送信する。電話帳機能部５６では、この送られてきた推薦通信情報を推薦通信手段提示部５６−４に記憶し、処理を終了する（図８のステップ１８３およびステップ１９０）。
【００４４】
尚、ステップ１３５で中止を選択した場合には、図７の処理フローと同様に処理を終了する（図８のステップ１９０）。
【００４５】
この図８の様に、推薦通信情報を自動的に表示する様に構成したので、ユーザの操作が簡便になり、操作性が向上する。
【００４６】
尚、図８に示す処理を行なう場合に、電話帳記憶部５６−２と推薦通信手段提示部５６−４とを一体化して、各通信先毎に推薦通信情報を記憶する様に構成しても良い。
【００４７】
また、図４に示した通信手段提示部５０は、各通信種別機能毎に送信履歴記憶部５２−２、５３−２、５４−２を持つ様に構成したが、これら各送信履歴記憶部を一括して持つ様に構成しても良く、その１例を図９に示す。
この図９において、電話機能部６２、チャット機能部６３、インスタント・メッセージ機能部６４の各通信履歴は、通信リスト管理部６５の通信履歴記憶部６５−７に記憶される構成とした。また、通信リスト管理部６５は、図４の通信手段提示部５０の電話帳機能部５６と略同様の機能を持つが、例えば電話が終了すると電話機能部６２の通信履歴通知部６２−２が、通信履歴を通信履歴記憶部６５−７に送られ記憶される。この通信履歴記憶部６５−７の通信履歴は、上記と同様に通信履歴解析部６５−６で解析され、解析された推薦通信情報は、推薦通信手段提示部６５−４に送られ、推薦通信情報を表示する場合に、表示機能部６５−３を介して、表示部２３に表示される。また、通信リスト記憶部６５−１、通信リスト登録更新部６５−２は、図４の電話帳記憶部５６−２、登録更新部５６−１と略同様の機能を有する。
【００４８】
次に、上記した以外の各種推薦通信情報について、通信履歴、解析例と表示例を各々示す。尚、通信手段提示部は図４または図９に示したものを使用するが、以下では図４の通信手段提示部５０を使用した場合で説明する。
【００４９】
図１０の（Ａ）は、通信先であるＢさんへの通信履歴を送信日順に配列して通信履歴記憶部５５−３に記憶されているものを示した。この通信履歴２００を通信履歴解析部５５−２によって通信種別毎に解析し、電話による通信履歴の解析例を示したものが（Ｂ）の電話通信履歴解析結果２１０であり、チャットによる通信履歴の解析例を示したものが（Ｃ）のチャット通信履歴解析結果２２０である。
【００５０】
この各々の解析結果２１０と２２０を用いて、相手先であるＢさんの応答率が最も高い時間帯を推薦通信情報として表示部２３に表示する。この推薦通信情報の表示例２３０を図１１に示す。この表示例２３０では、相手先の“Ｂさん”、通信種別毎に、“電話  １９：００〜２０：００”、“チャット  １７：００〜１８：００”、およびＢさんの電話番号“０９０−ＸＸＸＸ−ＸＸＸＸ”、メールアドレス“ｂ−ｓａｎ＠ＸＸＸ．ＸＸＸ”を提示している。
【００５１】
また解析結果２１０と２２０を用いて、現時刻（１７：３０とする）の応答率を推薦通信情報として表示部２３に表示した例を図１２に示す。
【００５２】
この様に、複数の通信種別について推薦通信情報を表示する様に構成したので、通信相手先がより応答しやすい時刻や通信種別をユーザに提示することが出来る。
【００５３】
次に図１３、図１４に示す例は、通信種別が電話やチャットの場合に、相手先への発信時刻と、相手先が応答を開始した時刻とを通信履歴とした例で、応答するまでの時間である応答時間を解析し、相手先へ推薦通信情報としたものである。この応答時間が短い程、相手先にとっては通信を受けるのに適した時間帯と予想できる。
【００５４】
図１３の（Ａ）に示した通信履歴３００は、相手先Ｂさんに電話を掛けた際の発信時刻と相手先での呼出し音が終了した時刻（つまり、相手先が電話を取り上げ、応答を開始した時刻）を応答開始時刻とし、その時間差を応答時間として構成されている。ここで、時刻情報として発信時間、応答開始時刻、応答時間を示したが、日付情報を加えても良い。
【００５５】
この通信履歴３００を通信履歴解析部５５−２によって時間幅１時間の時間帯毎に応答時間の合計と応答のあった応答回数との比をとって、平均応答時間を解析した解析例を示したものが（Ｂ）の電話通信履歴解析結果３１０である。
この解析結果３１０から、最も相手先のＢさんが６秒と早く応答してくれた時間帯２０：００〜２１：００を推薦通信情報として、表示部２３に表示した表示例を図１２の（Ｃ）に示す。また、現時刻（１７：３０とする）の応答時間を推薦通信情報として表示する表示例を図１４に示す。
【００５６】
この様に、相手先が応答するまでの時間に基づいた推薦通信情報を表示する様に構成したので、通信相手先がより応答しやすい時刻をユーザに提示することが出来る。
【００５７】
次に、図１５、図１６に示す推薦通信情報は、相手先と通信している時間が長い程、相手先にとっては通信を受けるのに好ましい時間帯であると予想した推薦通信情報を生成する例である。
【００５８】
図１５の（Ａ）に示す通信履歴４００は、通信種別と通信開始時刻（例えば電話の場合では、相手先からのフックオン信号を受信した時刻）と通信終了時刻と、これらの差として求まる通信時間から構成されている。この通信履歴４００を通信履歴解析部５５−２で、時間帯毎に通信時間の合計を通信回数で割った平均通信時間を解析する。
【００５９】
上記した様に、この通信時間が長い程、相手先（Ｂさんとする）にとっては、好ましい時間帯と予想できるので、平均通信時間の最も長い時間帯を推薦通信情報として、表示部２３に表示する。この表示例を図１５の（Ｃ）に示す。
また、現時刻（１７：３０とする）の平均通信時間を推薦通信情報として表示部２３に表示した例を図１６に示す。
【００６０】
この様に、通信を行なっている通信時間に基づいて推薦通信情報を表示する様に構成したので、通信相手先がより通信に時間を割いてくれ易い時刻をユーザに提示することが出来る。
【００６１】
つぎに、図１７、図１８を参照して、インターネットを利用してリアルタイムでＩＲＣサーバを介して行なうチャットであるＩＲＣ（Ｉｎｔｅｒｎｅｔ  Ｒｅｌａｙ  Ｃｈａｔ）を利用した場合の推薦通信情報の生成例を示す。
【００６２】
図１７の通信履歴５００は、通信種別、通信開始時刻、通信終了時刻、これら両時刻から求まる通信時間、および通信データ量（好ましくは相手先からのデータ量であるが、双方の合計データ量であっても良い）とから構成されている。  この通信履歴５００を通信履歴解析部５５−２で、時間帯毎に通信量の合計を通信回数で割った平均通信量を解析した解析例５１０を図１７の（Ｂ）に示す。上記した様に、この平均通信量が多い程、相手先（Ｂさんとする）にとっては通信するのに都合の良い時間帯と予想できるので、最も平均通信量の多い時間帯を推薦通信情報として、表示部２３に表示する。その表示例５２０を図１７の（Ｃ）に示す。
【００６３】
また、現時刻（１７：３０とする）の平均通信量を推薦通信情報として表示した表示例５３０を図１８に示す。
【００６４】
この様に、文字情報を通信する通信種別において、通信量に基づいた推薦通信情報を表示する様に構成したので、通信相手先がより多くの通信量を交信し易い時刻をユーザに提示することが出来る。
【００６５】
上記した各推薦通信情報は、発信しようとするユーザが相手先へ通信を発信した時刻を基に、この相手先との通信に好ましい時間帯や、現時刻に通信した場合に通信が成立する期待値を提示するものであった。これとは別に、次に図１９、図２０に示す推薦通信情報は、相手先がユーザ側に発信して時刻を基に通信履歴を解析して、推薦通信情報を生成する例である。
【００６６】
通信履歴６００は、通信種別、受信時刻（または、相手先の発信時刻が入手出来る場合は発信時刻でも良い）、送られて来たメールの通信データ量とから構成されている。この通信履歴６００を通信履歴解析部５５−２で受信時間帯毎に、通信量の合計を通信回数で割った平均通信量を解析した解析例を図１９の（Ｂ）に示す。
【００６７】
この平均通信量が多い時間帯ほど、通信相手（Ｂさんとする）にとっては通信するのに都合の良い時間帯と予想されるので、平均通信量の一番多い時間帯を推薦通信情報として表示部２３に表示した表示例６２０を図１９の（Ｃ）に示す。
【００６８】
また、現時刻（１７：３０とする）の平均通信量を推薦通信情報として表示した表示例６３０を図２０に示す。
【００６９】
この様に、相手側からの通信を受信した時刻など、発信者が通信を行なう時間帯毎に通信履歴を解析し、推薦通信情報を生成する様に構成したので、通信相手先がより応答しやすい時刻をユーザに提示することが出来る。
【００７０】
次に、本発明の第２の実施例を図２１から図２６を参照して説明する。図２１は、本発明を適用した通信端末装置７００の概略を示す図で、パーソナルコンピュータ本体７１０と入力部として使用されるキーボード７２０、マウス７３０、および表示部として使用されるモニタ７４０から構成されている。この通信端末装置７００の概略構成および機能構成は、各々第１の実施例と略同じであり、詳細説明を省略する。
【００７１】
この第２の実施例と第１の実施例の違いは、主に通信種別であり、この違いを主に以下に説明を行なう。
【００７２】
図２２の（Ａ）に示す通信履歴８００は、所定の通信先との通信履歴であって、送信日、通信種別、送信時刻および相手先からの応答の有無を示すレコードから構成されている。この例では、通信種別としてインターネットを介して音声を交信するインターネット電話、１対１のチャットであるＤＣＣ（Ｄｉｒｅｃｔ  Ｃｌｉｅｎｔ  Ｃｏｎｎｅｃｔｉｏｎ）チャットを使用した場合を示す。
【００７３】
第１の実施例と同様に、この通信履歴８００の送信時刻を所定の時間帯毎に分け、各時間帯毎に応答が有った回数を送信回数で割り、応答率を通信履歴解析部５５−２で解析した結果を図２２の（Ｂ）に示す。
この応答率が高い程、相手先（Ｂさんとする）にとって通信を受け取り易いと予想し、最も応答率の高い時間帯を推薦通信情報としてモニタ７４０に表示する。この表示例８２０を図２２の（Ｃ）に示す。
【００７４】
また、現時刻（１７：３０とする）の応答率を推薦通信情報として表示した表示例８３０を図２３に示す。
【００７５】
次に、図２４、図２５を参照して、通信種別毎に推薦通信情報を提示する場合の例を示す。図２４の（Ａ）に示す通信履歴９００は、所定の通信先との通信履歴であり送信日、通信種別、送信時刻、相手先からの応答の有無を示す情報とから構成されている。この通信履歴９００の送信時刻を所定の時間帯毎に分け、各時間帯毎に応答が有った回数を送信回数で割った応答率を通信種別毎に通信履歴解析部５５−２で解析した結果を図２４の（Ｂ）、（Ｃ）に示す。（Ｂ）はインターネット電話を使用した場合の解析例９１０で、（Ｃ）はＤＣＣチャットを使用した場合の解析例９２０である。
【００７６】
図２５に、各々の通信種別毎の最も応答率の高い時間帯を推薦通信情報としてモニタ７４０に表示した表示例９３０を示す。
また図２６に現時刻（１７：３０とする）の各通信種別毎の応答率を推薦通信情報として表示した表示例９４０を示す。
【００７７】
この様に、複数の通信種別について推薦通信情報を表示する様に構成したので、通信相手先がより応答しやすい時刻や通信種別をユーザに提示することが出来る。
【００７８】
尚、上記各例で例示した通信履歴の構成を共通化した構成としても良い。
また、推薦通信情報の表示は、通信相手を識別できる情報を含めて表示できれば良く、相手先と付加情報とが一対になったバディリスト、電話帳、アドレス帳などと共に表示しても良い。
【００７９】
さらに、上記説明では、携帯電話、パーソナルコンピュータを例示したが、固定電話やファクシミリ装置などに本発明を適用しても良い。
さらに、通信種別として上記した以外にも、ファクシミリによる通信に適用しても良い。
【００８０】
さらに、上記各例では、発信前に推薦通信情報を提示する様に構成したが、発信後に、上記に説明したいずれかの推薦通信情報を表示する様に構成しても良い。この様に構成することによって、発信後であっても通信相手との通信成立の成否が予測することが可能となる。
【００８１】
以上の説明に関連して、以下の項を開示する。
（付記１）通信時刻情報と通信種別と通信が成立したか否かを示す正否情報とを通信先に対応させた通信履歴情報を記憶する通信履歴部と、
前記通信履歴部からの前記通信履歴情報に基づいて、予め定めた時間間隔の時間帯毎の各々の通信種別毎に接続成立回数と発呼回数との比に対応する通信応答率を解析し、現時刻に対応した時間帯における所定の通信種別の前記通信応答率、または現時刻に対応した時間帯における前記通信応答率の順位に応じて選択された通信の種別、または前記通信応答率の順位に応じて選択された時間帯と対応する通信種別の少なくとも１つを推薦通信情報として出力する解析部とを備えたことを特徴とする通信端末装置。
（付記２）前記解析部は、前記通信履歴部からの前記通信履歴情報に基づいて、予め定めた時間間隔の時間帯毎の各々の通信種別毎に通信接続時間と発呼回数との比に対応する平均通信時間を解析し、現時刻に対応した時間帯における所定の通信種別の前記平均通信時間、または現時刻に対応した時間帯における前記平均通信時間の順位に応じて選択された通信の種別、または前記平均通信時間の順位に応じて選択された時間帯と対応する通信種別の少なくとも１つを推薦通信情報として出力することを特徴とする付記１に記載の通信端末装置。
（付記３）通信時刻情報と通信種別と通信量を通信先に対応させた通信履歴情報を記憶する通信履歴部と、前記通信履歴部からの前記通信履歴情報に基づいて、予め定めた時間間隔の時間帯毎の各々の通信種別毎に通信量と発呼回数との比に対応する平均通信量を解析し、現時刻に対応した時間帯における所定の通信種別の前記平均通信量、または現時刻に対応した時間帯における前記平均通信量の順位に応じて選択された通信の種別、または前記平均通信量の順位に応じて選択された時間帯と対応する通信種別の少なくとも１つを推薦通信情報として出力する解析部とを備えたことを特徴とする通信端末装置。
（付記４）通信すべき情報を入力するための入力部と、通信履歴を記憶した通信履歴記憶部と、前記通信記憶部の通信履歴に基づいて、通信先へ通信すべき時間帯及び／または通信種別及び／または通信先が現時刻に受信する期待値を解析する解析部と、前記解析された前記時間帯及び／または前記通信種別及び／または前記期待値を表示するための表示部と、前記通信すべき情報を送信するための通信部とを備えたことを特徴とする通信端末装置。
（付記５）通信先に対応した通信履歴情報を取得するステップと、前記通信履歴に基づいて、通信先へ通信すべき時間帯及び／または通信種別及び／または通信先が現時刻に受信する期待値を解析するステップと、前記解析された前記時間帯及び／または前記通信種別及び／または前記期待値を表示するために出力するステップと、を備えたことを特徴とする通信情報提示方法。
（付記６）通信開始から通信先が応答するまでの応答時間を通信時刻情報に含み、この通信時刻情報を通信先に対応させた通信履歴情報を記憶する通信履歴部と、前記通信履歴部からの前記通信履歴情報に基づいて、予め定めた時間間隔の時間帯毎の前記応答時間の和とその時間帯に行なった通信回数との比の順位に応じた時間帯を含む情報を推薦通信情報として出力する解析部とを備えたことを特徴とする通信端末装置。
（付記７）通信を受信した時刻またはこの通信が送信された時刻を含む通信時刻情報を含み、この通信時刻情報を通信先に対応させた通信履歴情報を記憶する通信履歴部と、前記通信履歴部からの前記通信履歴情報に基づいて、予め定めた時間間隔の時間帯毎の前記通信の回数の順位に応じた時間帯を含む情報を推薦通信情報として出力する解析部とを備えたことを特徴とする通信端末装置。
（付記８）付記７に記載の通信履歴情報には、前記通信時刻情報に対応した交信された通信データ量が含まれ、前記時間帯毎の前記通信データ量の和を前記通信の回数で割った比を求め、前記比の順位に応じた時間帯を含む情報を推薦通信情報として出力する解析部とを備えたことを特徴とする通信端末装置。
【００８２】
【発明の効果】
本発明によれば、相手先へ通信した際に相手先が受信し易い時間帯を推定するために、この相手先との通信履歴に基づいて、所定の時間帯毎にこの相手先の応答率や、通信を行なっていた通信時間、通信量、相手先が応答するまでの応答時間などを解析し解析結果に基づいて、最も高い応答率や最も長い平均通信時間や、最も多い平均通信量や、最も早い応答時間などを使用として、相手先との通信が成立し易い時間帯を相手先と通信をする前に推薦通信情報として表示する様にしたので、相手先との円滑な通信が可能になる効果を生じる。また、本発明によれば、相手先との通信履歴に基づいて、現時点での応答率、平均通信時間、平均通信量、平均応答時間などをこの相手先と通信する前に推薦通信情報として提示する様にしたので、相手先との通信が成立する程度を予め予測できる効果を生じる。
【図面の簡単な説明】
【図１】  本発明を適用した携帯電話の概略を示す図。
【図２】  第１の実施例の主要機能の概要を説明する図。
【図３】  第１の実施例の概略構成を示す図。
【図４】  本発明の機能構成の一例を示す図。
【図５】  通信履歴、解析例と表示例の一例を示す図。
【図６】  表示例を示す図。
【図７】  処理フローの一例を示す図。
【図８】  処理フローの他の一例を示す図。
【図９】  本発明の機能構成の他の例を示す図。
【図１０】  通信履歴、解析例と表示例を示す図。
【図１１】表示例を示す図。
【図１２】表示例を示す図。
【図１３】通信履歴、解析例および表示の例を示す図。
【図１４】表示例を示す図。
【図１５】通信履歴、解析例および表示の例を示す図。
【図１６】表示例を示す図。
【図１７】通信履歴、解析例および表示の例を示す図。
【図１８】表示例を示す図。
【図１９】通信履歴、解析例および表示の例を示す図。
【図２０】表示例を示す図。
【図２１】本発明を適用した通信端末装置の概略を示す図。
【図２２】通信履歴、解析例と表示の例を示す図。
【図２３】表示例を示す図。
【図２４】通信履歴、解析例と表示の例を示す図。
【図２５】表示例を示す図。
【図２６】表示例を示す図。
【符号の説明】
１０      携帯電話
２１      記憶部
２３      表示部
２４      入力部
２５      通信部
３０      ＣＰＵ
３１      バス
５０      通信手段提示部
５２      電話機能部
５２−２  通信履歴記憶部
５３      チャット機能部
５３−２  通信履歴記憶部
５４      インスタント・メッセージ機能部
５４−２  通信履歴記憶部
５５      通信履歴処理部
５５−２  通信履歴解析部
５６      電話帳機能部
５６−４  推薦通信手段提示部
６５      通信リスト管理部
６５−４  推薦通信手段提示部
６５−６  通信履歴解析部
【図１】
0003719191.tif 000002
【図２】
0003719191.tif 000003
【図３】
0003719191.tif 000004
【図４】
0003719191.tif 000005
【図５】
0003719191.tif 000006
【図６】
0003719191.tif 000007
【図７】
0003719191.tif 000008
【図８】
0003719191.tif 000009
【図９】
0003719191.tif 000010
【図１０】
0003719191.tif 000011
【図１１】
0003719191.tif 000012
【図１２】
0003719191.tif 000013
【図１３】
0003719191.tif 000014
【図１４】
0003719191.tif 000015
【図１５】
0003719191.tif 000016
【図１６】
0003719191.tif 000017
【図１７】
0003719191.tif 000018
【図１８】
0003719191.tif 000019
【図１９】
0003719191.tif 000020
【図２０】
0003719191.tif 000021
【図２１】
0003719191.tif 000022
【図２２】
0003719191.tif 000023
【図２３】
0003719191.tif 000024
【図２４】
0003719191.tif 000025
【図２５】
0003719191.tif 000026
【図２６】
0003719191.tif 000027